(57)【要約】【課題】  外観上授乳用であることが明確には分からず、乳房を露出させて授乳する場合でも確実に乳房を目隠しすることができるキャミソールを提供すること。【解決手段】  着用状態において筒状とされたキャミソール本体１５と、キャミソール本体１５における上方で、背面側から前面側を結ぶ左右の肩紐部２５，２５を有するキャミソール１０であって、各肩紐部２５，２５の後端３６は、キャミソール本体１５の背面側の上縁３７に固定され、各肩紐部２５，２５の前端３８または前端３８近傍には、キャミソール本体１５の前面側の上縁３９に着脱可能な肩紐着脱部４０，４０が形成されており、キャミソール本体１５の肩紐着脱部４０，４０の配置位置よりも外側には、キャミソール本体１５の前面側の上縁３９よりも高さが低くされた脇ぐり部３２，３２が形成され、肩紐部２５，２５の前端３８近傍には、目隠し部材２０の上端が配置されている。【選択図】  図２
2005187977.tif 000002
【特許請求の範囲】
【請求項１】
着用状態において筒状とされたキャミソール本体と、前記キャミソール本体における上方で、背面側から前面側を結ぶ左右の肩紐部を有するキャミソールであって、
各前記肩紐部の後端は、前記キャミソール本体の前記背面側の上縁に固定され、
各前記肩紐部の前端または前端近傍には、前記キャミソール本体の前記前面側の上縁に着脱可能な肩紐着脱部が形成されており、
前記キャミソール本体の前記肩紐着脱部の配置位置よりも外側には、前記キャミソール本体の前記前面側の上縁よりも高さが低くされた脇ぐり部が形成され、
前記肩紐部の前端近傍には、目隠し部材の上端が配置されていることを特徴とするキャミソール。
【請求項２】
前記目隠し部材は、前記肩紐部に対して着脱可能とされていることを特徴とする請求項１に記載のキャミソール。
【請求項３】
前記目隠し部材の上縁における両端近傍には、目隠し着脱部材が形成されており、前記肩紐部の端部には、肩紐側着脱ループが形成されており、前記肩紐側着脱ループには、前記目隠し着脱部材が係合可能とされていることを特徴とする請求項２に記載のキャミソール。
【請求項４】
前記目隠し部材の上縁部が、前記肩紐部に縫合された縫合部とされており、前記目隠し部材の前記縫合部または前記縫合部近傍には、前記肩紐着脱部が形成され、前記キャミソール本体の上縁に、前記肩紐着脱部に対応したキャミソール着脱部が形成されて、前記目隠し部材の側縁が、前記キャミソール本体の側面側に縫合されて、前記目隠し部材の下縁が開放端とされていることを特徴とする請求項１に記載のキャミソール。
【請求項５】
少なくとも、前記キャミソール本体の前記両脇ぐり部間となる胸部内面には、吸収層が形成されていることを特徴とする請求項１に記載のキャミソール。
【発明の詳細な説明】
【技術分野】
【０００１】
本発明は、授乳時に乳房に目隠しをするために目隠しを設けたキャミソールに関する。
【背景技術】
【０００２】
妊産婦の使用する服装の変化により、キャミソールタイプのものが好んで使用されるようになってきている。
授乳時に乳房の目隠しをするために覆いを上側に設ける場合があるが、このような覆いは、羽織るケープ状のもの（例えば特許文献１）や目隠しを着脱できるもの（例えば特許文献２）などが提案されている。
【０００３】
【特許文献１】特開２００２−１６１４１６公報（第１頁、図１）
【特許文献２】実用新案登録第３０９１３０９号公報（第１頁、図１）
【発明の開示】
【発明が解決しようとする課題】
【０００４】
ところが、特許文献１に開示されている羽織るケープ状の覆いや、特許文献２に記載されている目隠しを着脱可能にできるものを使用すると、外観上いずれも授乳用であることが明確に他人に認識されてしまい、着用しようとする妊産婦の気持ちを削ぐものであった。
そこで本発明は上記課題を解消し、外観上授乳用であることが明確には分からず、乳房を露出させて授乳する場合でも確実に乳房を目隠しすることができるキャミソールを提供することを目的としている。
【課題を解決するための手段】
【０００５】
上記目的は、第１の発明によれば、着用状態において筒状とされたキャミソール本体と、前記キャミソール本体における上方で、背面側から前面側を結ぶ左右の肩紐部を有するキャミソールであって、各前記肩紐部の後端は、前記キャミソール本体の前記背面側の上縁に固定され、各前記肩紐部の前端または前端近傍には、前記キャミソール本体の前記前面側の上縁に着脱可能な肩紐着脱部が形成されており、前記キャミソール本体の前記肩紐着脱部の配置位置よりも外側には、前記キャミソール本体の前記前面側の上縁よりも高さが低くされた脇ぐり部が形成され、前記肩紐部の前端近傍には、目隠し部材の上端が配置されていることを特徴とすることを特徴とするキャミソールにより、達成される。
【０００６】
第１の発明の構成によれば、肩紐部の後端は、キャミソール本体の背面側の上縁に固定されている。肩紐部の前端または前端付近には、キャミソール本体の前面側の上縁に着脱可能な肩紐着脱部が形成されている。
キャミソール本体の肩紐着脱部の配置位置よりも外側には、キャミソール本体の前面側の上縁よりも高さが低くされた脇ぐり部が形成されている。肩紐部の前端付近には、目隠し部材の上端が配置されている。
これにより、キャミソール本体の前側で肩紐部が着脱可能であり、脇ぐり部があるためにキャミソール本体の前側をめくるように動かすことで、乳房を露出させて授乳させることを容易にすることができる。この場合に、肩紐部の前端付近には、目隠し部材の上端が配置されることで、第三者から授乳中の乳房が見えづらく、外側から見えないように確実に乳房を目隠しすることができる。キャミソール形態を採用しているので、外観上授乳用であることが明確には分かりづらく、使用者が着用する気持ちを保つことができる。
【０００７】
第２の発明は、第１の発明の構成において、前記目隠し部材は、前記肩紐部に対して着脱可能とされていることを特徴とする。
第２の発明の構成によれば、目隠し部材は、肩紐部に対し着脱可能である。
これにより、目隠し部材はキャミソール本体から簡単に着脱可能に使用しない時に取り外すことができる。つまり通常の場合には、目隠し部材を使用せずにキャミソールとして使用でき、授乳時には目隠し部材を装着することにより授乳動作に十分対応することができる。しかも、羽織るケープ状の目隠しと比較して、目隠し部材を小さく形成することができ、携帯性に優れている。
【０００８】
第３の発明は、第２の発明の構成において、前記目隠し部材の上縁における両端近傍には、目隠し着脱部材が形成されており、前記肩紐部の端部には、肩紐側着脱ループが形成されており、前記肩紐側着脱ループには、前記目隠し着脱部材が係合可能とされていることを特徴とする。
第３の発明の構成によれば、肩紐部の端部には、肩紐側着脱ループが形成されており、目隠し部材には目隠し着脱部材が形成されている。肩紐側着脱ループには、目隠し着脱部材が係合可能である。
これにより、簡単に肩紐部の着脱が行え、目隠し部材の装着も容易である。
【０００９】
第４の発明は、第１の発明の構成において、前記目隠し部材の上縁部が、前記肩紐部に縫合された縫合部とされており、前記目隠し部材の前記縫合部または前記縫合部近傍には、前記肩紐着脱部が形成され、前記キャミソール本体の上縁に、前記肩紐着脱部に対応したキャミソール着脱部が形成されて、前記目隠し部材の側縁が、前記キャミソール本体の側面側に縫合されて、前記目隠し部材の下縁が開放端とされていることを特徴とする。
第４の発明の構成によれば、目隠し部材の上縁部が肩紐部に縫合された縫合部である。目隠し部材の縫合部または縫合部近傍には、肩紐着脱部が形成されている。キャミソール本体の上縁には、肩紐着脱部に対応したキャミソール着脱部が形成されている。この目隠し部材の側縁がキャミソール本体の側面側に縫合されていて、目隠し部材の下縁が開放端である。
これにより、キャミソール本体に対して目隠し部材が一体的に設けられたものであり、目隠し部材がキャミソール本体の飾りとして機能する。そして、キャミソール縁をめくり、開放端とされた目隠し部材の下縁から乳児に授乳させることができる。
【００１０】
第５の発明は、第１の発明の構成において、少なくとも、前記キャミソール本体の前記両脇ぐり部間となる胸部内面には、吸収層が形成されていることを特徴とする。
第５の発明の構成によれば、少なくとも、キャミソール本体の両脇ぐり部となる胸部内面には、吸収層が形成されている。
これにより、乳房への当たりを柔らかくして、授乳中もしくは着用時の母乳の漏れをこの吸収層により確実に吸収することができる。
【発明の効果】
【００１１】
以上発明したように、本発明によれば、外観上授乳用であることが明確には分からず、乳房を露出させて授乳する場合でも確実に乳房を目隠しすることができる。
【発明を実施するための最良の形態】
【００１２】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
第１の実施形態
図１と図２は、本発明のキャミソールの好ましい実施形態を示す斜視図であり、図１はキャミソール本体上に目隠し部材が覆っている状態を示しており、図２は授乳するためにキャミソール本体をめくった状態を示している。図３はキャミソール本体の形状例を示し、図４は目隠し部材の形状例を示している。
図１と図２に示すキャミソール１０は、キャミソール本体１５と、目隠し部材２０及び肩紐部２５，２５を有している。キャミソール本体１５は、使用者Ｍが着用した状態において、略筒状に形成されている。使用者Ｍは妊産婦である。
図１と図３に示すキャミソール本体１５は、両方の乳房１１を覆う胸部分３０、脇ぐり部３２、ギャザー部分３３及び下部分３４を有している。キャミソール本体１５は、このように乳房１１から例えば少なくとも腰の部分まで覆うことができる形状になっている。
【００１３】
図１と図３の肩紐部２５，２５は、キャミソール本体１５を使用者Ｍの肩に掛けて支えるための部材である。図１に示す肩紐部２５，２５の後端３６，３６は、キャミソール本体１５の背面側の上縁３７の両端部分に固定されている。肩紐部２５，２５の前端３８は、キャミソール本体１５の前面側の上縁３９の両端部分に対して着脱可能になっている。このように肩紐部２５，２５を着脱可能にするために、肩紐着脱部４０，４０が前面側の上縁３９の両端部に形成されている。
左右の脇ぐり部３２，３２は、キャミソール本体１５の肩紐着脱部４０，４０よりも外側、すなわち両脇側に形成されている。この脇ぐり部３２，３２は、キャミソール本体１５の前面側の上縁３９よりも高さ方向に関して低く形成されている。これにより、胸部分３０をめくる動作を容易にして授乳時に乳房を露出しやすくなる。
【００１４】
図３を参照すると、キャミソール本体１５の前面側であって乳房１１，１１に対応する部分となる前面側におけるギャザー部分３３よりも上方の領域には、吸収層５０が点線で示す位置のように前身頃外周と一体に縫合されることで形成されている。この吸収層５０は、キャミソール本体１５の両方の脇ぐり部３２，３２の間にあって、胸部分３０の内面側において略全面的に形成されている。吸収層５０は、例えば乳房１１，１１への当たりを柔らかくして、授乳中や着用時の母乳の漏れを吸収することができる綿素材やポリエステル等よりなるパイル地や、天竺等を使用することができる。
また、図１に示す、キャミソール本体１５の胸部分３０の内面側で、脇ぐり部３２，３２の下側となる側縁には、図２と図３に示すように吸収層５０が前身頃外周と縫合されていないことによって形成された、ポケットの入口５１が左右の位置に形成されている。このポケットの入口５１，５１の中には、例えば乳房形状を整えるためのパッドや母乳を吸収するためのパッド等を着脱可能に入れることができる。
図３のギャザー部分３３は、アンダーバストをホールドし、身体へのフィット性を高めるための、胴回りを一周するよう配置された弾性体による例えばゴムギャザーである。
【００１５】
図４に示す目隠し部材２０は、例えば略扇形状を有している。目隠し部材２０は、授乳時に露出した乳房を外部から十分に覆い隠すことができるように、上縁２１Ａ側より下縁側の幅が大きくなるよう略扇形に形成されるのが好ましいが、略台形状や上側が台形状で下側が長方形状とされていても良い。目隠し部材２０の上下方向の長さＬは、左右方向の最大幅Ｗよりも大きく形成されており、また、図１と図２にも示すように、キャミソール本体１５の胸部分３０の上縁３９から下部分３４の下端部までの長さＬ１よりも、好ましくは大きく設定されている。これによって、授乳時に露出した乳房及び乳児を外部から覆い隠すことが十分に行える。
【００１６】
図３に示すように、キャミソール本体１５の肩紐部２５，２５は、肩紐部２５の長さを調整するための長さ調節部２５Ａをそれぞれ有している。肩紐着脱部４０，４０は、肩紐部２５，２５の前端３８をキャミソール本体１５の前面側の上縁３９の両端部３９Ａ，３９Ａに対して着脱可能に接続するための部分である。
肩紐着脱部４０，４０は、連結具４１とループ４２を有している。肩紐部２５側の連結具４１は、例えばＺカンとも呼ばれて、プラスチックにより作られており、肩紐部２５，２５の前端３８に取り付けられている。ループ４２は、キャミソール本体１５の前面側の上縁３９の端部３９Ａにそれぞれ固定されている。
【００１７】
連結具４１の挿入部４３を、ループ４２に対して通すことにより、肩紐部２５，２５の前端３８は、連結具４１を介してキャミソール本体１５のループ４２に対して着脱可能に連結することができる。
【００１８】
図５（Ａ）と図５（Ｂ）に示すように、肩紐部２５，２５の前端３８には、長さ調整部２５Ａによって形成された肩紐側着脱ループ６０が形成されている。これに対して目隠し部材２０は、図４に示すように、二つの着脱部材７０を有している。この着脱部材７０は、連結具４１と同様な構造のものである。従って、着脱部材７０は挿入部７１を有している。目隠し部材２０の着脱を行いやすいようにこの挿入部７１，７１は、図４に示すように、同じ方向である方向Ｄに向いているのが特徴的である。これに対して図３に示すように、肩紐部２５をキャミソール本体１５に着脱する挿入部４３，４３はお互いに向かい合う方向に突出している。
【００１９】
着脱部材７０，７０は、目隠し部材２０の上縁２１Ａの両端近傍に配置されるよう間隔をおいて、しかも肩紐着脱部４０，４０に対応する位置に設けられている。
従って、図４に示す目隠し部材２０を図３に示すキャミソール本体１５の前面側に取り付ける場合には、図５（Ａ）に示すように、着脱部材７０，７０の挿入部７１，７１が肩紐側着脱ループ６０の間に対してＤ方向となる左右同じ方向に挿入することにより、図５（Ｂ）のように目隠し部材２０はキャミソール本体１５の肩紐着脱部４０，４０に対して簡単にかつ確実に取り付けることができる。
【００２０】
キャミソール本体１５の材質としては、例えば綿、ポリウレタン、ポリエステル、レーヨン等を単独または混紡した素材を使用することができ、着脱や身体へのフィット性を考慮して、好ましくはストレッチ性を有する素材が使用される。
目隠し部材２０はキャミソール本体１５と同様の伸縮性を有する素材、例えば天竺、フライス、スムース、パイル、ジャガード、ジャージー等を使用することができる。
肩紐部２５，２５は好ましくは伸縮性を有する、例えば綿やポリエステル、ポリウレタン等の各種ストラップテープを使用することができる。
【００２１】
次に、図１と図２を参照しながらキャミソール１０の使用例について説明する。
図１では、キャミソール本体１５が肩紐部２５，２５により保持されている。使用者Ｍはキャミソール本体１５により胸部、腹部および腰部などを覆っている。使用者Ｍはキャミソール本体１５のみを着用することができる。
しかし、授乳を行いたい場合には、図１に示すように、キャミソール本体１５の前面側に対して目隠し部材２０を取り付ける。すなわち、図５（Ａ）に示すように、着脱部材７０，７０の挿入部７１，７１が肩紐側着脱ループ６０に対してＤ方向に挿入されることにより、図５（Ｂ）のように目隠し部材２０は肩紐着脱部４０，４０の位置において確実に取り付けることができる。目隠し部材２０はキャミソール本体１５の前面側を覆う。
【００２２】
図２に示すように、例えば左側の乳房１１により授乳を行いたい場合には、使用者Ｍは図３に示すキャミソール本体１５の左側の肩紐着脱部４０のループ４２から挿入部４３を外側に向かって引き抜くように引き出せば、キャミソール本体１５の前面側の上縁３９の左側の乳房１１に対応する部分を図２に示すＲ方向に移動することができる。これによって、使用者Ｍは左側の乳房１１を露出して授乳させることができる。この場合には、目隠し部材２０が左側の乳房１１を覆っているので、第三者から乳房１１が見えることがなく確実に覆い隠すことができる。
【００２３】
キャミソール本体１５の前側で肩紐部２５が着脱可能であり、しかも脇ぐり部３２があるために、キャミソール本体１５の前側をめくるように動かすことで、乳房１１を露出させて簡単に授乳させることができる。この場合に、肩紐部２５の前端付近には、目隠し部材２０の上縁が配置されることで、キャミソール本体１５を着用した状態と変わらない位置に目隠し部材２０の上縁２１Ａが配置されるため、外側から授乳中の乳房１１が見えづらい。キャミソール形態であるので、外観上授乳用であることが明確には分かりづらく、使用者Ｍが着用する気持ちを持つことができる。目隠し部材２０はキャミソール本体１５から簡単に着脱可能に使用しない時に取り外すことができ、ケープ状とされたものと比較しコンパクトであるため形態性にも優れる。簡単に肩紐部２５の着脱が行え、目隠し部材２０の装着も容易である。
【００２４】
第２の実施形態
次に、本発明のキャミソールの第２の実施形態について説明する。
図６ないし図８は、本発明の第２の実施形態を示している。
図６ないし図８に示すキャミソール２１０は、キャミソール本体２１５、左右の肩紐部２５，２５、目隠し部材２２０を有している。第１の実施形態とは異なり、肩紐部２５，２５の前端近傍は、目隠し部材２２０の前面側の上縁部２２３に対して固定されている。しかし、後述するように目隠し部材２２０に肩紐部２５が固定された肩紐固定部２４０が形成された肩紐前端３８の近傍には、肩紐着脱部にあたるキャミソール着脱部４００，４００が形成されており、キャミソール２１０を着用した状態で授乳可能とされている。
【００２５】
目隠し部材２２０は、第１の実施形態とは異なり、目隠し部材２２０の上下方向の長さはキャミソール本体２１５の上下方向の長さに比べて小さくなっている。この目隠し部材２２０は、使用者Ｍの胸部を覆う程度の上下方向の長さを有している。目隠し部材２２０にはレース材料を使用する等、装飾性が高められており、目隠し部材２２０はキャミソール本体２１５の装飾部分の一部としてあたかも見えるように設けられている。この目隠し部材２２０とキャミソール本体２１５はともに伸縮性を有している。
【００２６】
図７に示すように、目隠し部材２２０の上端付近であって、肩紐固定部２４０の外側となる外側部分２２７は、キャミソール本体２１５の上縁２３９の両端に対して着脱可能な肩紐着脱部となるキャミソール着脱部４００が設けられている。このキャミソール着脱部４００は肩紐近傍側スナップボタン４０１をキャミソール側スナップボタン４０２に着脱可能にはめ合わせることにより、肩紐前端３８近傍領域となる目隠し部材２２０と、キャミソール本体２１５の上縁２３９両端側を着脱可能に連結することができる。肩紐近傍側スナップボタン４０１は、例えばオス部材でありキャミソール側スナップボタン４０２はメス部材である。
【００２７】
キャミソール着脱部４００は、スナップボタンを使用するのに替えて通常のボタンとボタン穴を使用する組み合わせ等、各種係合手段であってももちろん構わない。
目隠し部材２２０の側縁２３８は、キャミソール本体２１５の側面２１６となる前身頃と後身頃の縫合位置において、縫合部２７７により縫合されて固定されており、目隠し部材２２０は上端と下端においては固定されていない自由端とされている。
【００２８】
次に、図８を参照しながらキャミソール２１０の使用例について説明する。
図８は、キャミソール２１０を使用者Ｍが装着した例を示している。そして、使用者Ｍは、例えば左側の乳房１１を露出して授乳するために、図７に示すキャミソール着脱部４００の各スナップボタン４０１，４０２を外す。そして、キャミソール本体２１５の一方の上縁部２３９を図８に示すように使用者ＭがＲ方向に引き下げることにより、左側の乳房１１が露出できる。しかし、露出した乳房１１は、目隠し部材２２０により見えないように覆うことができる。
授乳を行う際には、目隠し部材２２０は両側縁の縫合部２７７でキャミソール本体２１５に固定されているため、下縁３６５側から乳児に対して授乳を行うことができる。このことについては、右側の乳房１１を露出して授乳を行う場合も同様である。
【００２９】
第２の実施形態における肩紐部２５，２５の構造は、第１の実施形態の肩紐部２５，２５の構造と略同じであるが、肩紐固定部２４０となる部位においてリング２４１を介して目隠し部材２２０に固定されている。
また授乳を行う場合には、図７に示すキャミソール着脱部４００のスナップボタン４０１，４０２の連結を取り外すことにより、キャミソール本体２１５には脇ぐり部２３２が形成されていることや、素材の伸縮性もあり、上縁２３９の一方をＲ方向に引っ張るようにして簡単に下げることができる。なお、目隠し部材２２０にもキャミソール本体２１５の脇ぐり部２３２と同様の脇ぐりが形成されている。
授乳が終わったら再び上縁３４５をＲ方向とは反対方向に持ち上げて、図７に示すスナップボタン４０１，４０２を連結することにより、キャミソール本体２１５の上縁３４５と肩紐前端３８が固定された目隠し部材２２０の上縁部２２３近傍を連結することができる。
第２の実施形態におけるキャミソール本体の材質と目隠し部材の材質は、各々第１の実施形態のものと同様なものを採用することができる。
【００３０】
ところで本発明は、上記実施の形態に限定されるものではない。
例えば第１の実施形態においては、目隠し部材２０は上縁側より下縁側が広く形成されている。これによって、授乳時に露出した乳房１１を確実に目隠しすることができる。しかしこれに限らず他の形状の目隠し部材２０を採用することももちろん可能である。
また、キャミソール本体１５，２１５は実質的に筒状に形成されるものであればよく、前側が開くよう構成されて、着用時にボタン等を使って筒状を形成するものでもよい。
さらに、図４に示す肩紐着脱部４０は、肩紐部２５側の連結具４１とキャミソール本体１５側のループ４１という構成ではなく、面テープや各種フック構造等の様々な係止手段を採用できるだけでなく、肩紐部２５側の連結具４１に鰐歯状に構成されたクリップを使用してキャミソール本体１５の上縁両端部３９Ａを挟むように形成しても良い。
同様に、目隠し部材２０を肩紐部前端３８に固定するための着脱部材７０も、クリップやその他の各種係止手段を採用することができる。
【００３１】
図７に示すように、キャミソール着脱部４００が縫合部２９０よりも外側であってかつ低い位置に形成されていることにより、授乳時にキャミソール本体２１５の部分２２８はＲ方向に下げやすく、乳房を露出しやすくなる。
【００３２】
なお図３に示す、吸収層５０の更に内側には、母乳パッドを粘着剤により貼り付けることにより、就寝時あるいは日常生活の時において母乳の漏れを確実に吸収することができる。吸収層５０がタオル地のような母乳を吸収することができる素材であると、吸収層５０のみで母乳を吸収することができる。また、キャミソール本体１５を洗濯する場合に、表面に母乳が染み出てキャミソール本体１５の表面側が汚れてしまうのをできるだけ防ぐことができる。
タオル地のような吸収層５０を用いることにより、乳房への当たりを柔らかくして、授乳中や着用時の母乳の漏れを吸収することが確実に行える。
【００３３】
上述した各実施形態は、相互に組み合わせて使用することができる。
また、キャミソール本体の形状や目隠し部材の形状は各種のものが採用できる。
なお、キャミソール本体は、肩紐が形成された衣類を示しており、ワンピース状とされたものやスリップドレス等も含まれる。
さらに、キャミソール本体が、上着やパンツ、スカート等とセットにされたアンサンブルの一部として採用されていても良い。
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００３４】
【図１】本発明のキャミソールの好ましい実施の形態を示す斜視図。
【図２】図１のキャミソールにおいて授乳の際の状態を示す図。
【図３】キャミソール本体の正面図。
【図４】目隠し部材の正面図。
【図５】肩紐着脱部と肩紐側着脱ループを示す図。
【図６】本発明のキャミソールの第２の実施形態を示す正面図。
【図７】第２の実施形態のキャミソールの一部分を示す斜視図。
【図８】第２の実施形態のキャミソールにおいて授乳状態を示す斜視図。
【符号の説明】
【００３５】
１０・・・キャミソール、１５・・・キャミソール本体、２０・・・目隠し部材、２５・・・肩紐部、３６・・・肩紐部の後端、３７・・・キャミソール本体の背面側の上縁、３８・・・肩紐部の前端、３９・・・キャミソール本体の前面側の上縁、４０・・・肩紐着脱部、６０・・・肩紐側着脱ループ、７０・・・着脱部材
【図１】
2005187977.tif 000003
【図２】
2005187977.tif 000004
【図３】
2005187977.tif 000005
【図４】
2005187977.tif 000006
【図５】
2005187977.tif 000007
【図６】
2005187977.tif 000008
【図７】
2005187977.tif 000009
【図８】
2005187977.tif 000010